(57)【特許請求の範囲】
【請求項１】
相手端子が接続される端子接続部と、前記端子接続部に連結され、電線が接続された電線接続部とを備え、前記電線接続部の箇所で、前記電線まで浸水の可能性がある箇所が防食材によって被覆された接続端子であって、
前記電線接続部の前記端子接続部側には、防食材溜め部が設けられており、
前記防食材溜め部は、前記電線接続部の加締め片の前記端子接続部側の先端箇所で形成され、前記電線の端面を覆う被覆部と前記被覆部の下端から前記端子接続部側に向かって配置された底壁部によりＬ字状に形成されたことを特徴とする接続端子。
【発明の詳細な説明】
【技術分野】
【０００１】
本発明は、端子接続部と電線接続部を備え、電線接続部より露出された電線を防食材によって被覆する接続端子に関する。
【背景技術】
【０００２】
この種の従来の接続端子としては、特許文献１に開示されたものがある。この接続端子５０は、図６〜図８に示すように、相手端子が接続される端子接続部５１と、電線Ｗが接続された電線接続部５２と、端子接続部５１と電線接続部５２の間を連結する首部５３とを備えている。電線接続部５２は、一対の加締め片５２ａを有する。この一対の加締め片５２ａによって電線Ｗの露出された導体６０の箇所と絶縁外皮６１の箇所が共に加締め固定されている。電線接続部５の箇所で、電線Ｗまで浸水可能性のある箇所は、防食材である半田５５によって被覆されている。具体的には、半田５５は、一対の加締め片５２ａより先端側に突き出た導体６０と一対の加締め片５２ａの隙間を覆うように設けられている。
【０００３】
前記従来例によれば、接続端子５０が被水しても電線Ｗの導体６０が被水するのを防止できる。これにより、導体６０がアルミニウム導体である場合には、ガルバニック腐食を防止できる。
【先行技術文献】
【特許文献】
【０００４】
【特許文献１】特開２０１１−２１６２５３号公報
【発明の概要】
【発明が解決しようとする課題】
【０００５】
ところで、防食材である半田５５は、半田コテによって溶融状態のものを塗布するか、半田ペーストを塗布して熱を加えるかして付着させる。
【０００６】
上記従来例の接続端子５０は、電線接続部５２と端子接続部５１は底面壁で連結されているので、溶融状態の半田５５が電線接続部５２から端子接続部５１側に容易に流出する。半田５５が電線接続部５２より流出すると、電線接続部５２の半田５５の被覆量が低下し、半田５５による止水性が低下する。止水性が低下すると、電線接続部５２の抵抗値の上昇や電線固定力が低下する恐れがある。
【０００７】
そこで、本発明は、前記した課題を解決すべくなされたものであり、防食材の止水性の低下に起因する電線接続部の抵抗値の上昇と電線固定力の低下を防止できる接続端子を提供することを目的とする。
【課題を解決するための手段】
【０００８】
本発明は、相手端子が接続される端子接続部と、前記端子接続部に連結され、電線が接続された電線接続部とを備え、前記電線接続部の箇所で、前記電線まで浸水の可能性がある箇所が防食材によって被覆された接続端子であって、前記電線接続部の前記端子接続部側には、防食材溜め部が設けられており、前記防食材溜め部は、前記電線接続部の加締め片の前記端子接続部側の先端箇所で形成され、前記電線の端面を覆う被覆部と前記被覆部の下端から前記端子接続部側に向かって配置された底壁部によりＬ字状に形成されたことを特徴とする接続端子である。
【発明の効果】
【００１０】
本発明によれば、電線接続部より露出された電線の箇所に防食材を配置し、この防食材が溶融状態の際に端子接続部側に流れ出ようとすると防食材溜め部に溜められ、端子接続部側への流出が阻止される。従って、防食材の止水性の低下に起因する電線接続部の抵抗値の上昇と電線固定力の低下を防止できる。
【図面の簡単な説明】
【００１１】
【図１】本発明の一実施形態を示し、接続端子の斜視図である。
【図２】本発明の一実施形態を示し、（ａ）は接続端子の断面図、（ｂ）は（ａ）のＡ−Ａ線断面図である。
【図３】本発明の一実施形態を示し、（ａ）は接続端子の半田塗布前の平面図、（ｂ）は（ａ）のＢ−Ｂ線断面図、（ｃ）は（ａ）のＣ−Ｃ線断面図である。
【図４】第１変形例の防食材溜め部を示す断面図である。
【図５】第２変形例の防食材溜め部を示す断面図である。
【図６】従来例を示し、接続端子の半田塗布前の要部斜視図である。
【図７】従来例を示し、接続端子の要部斜視図である。
【図８】従来例を示し、接続端子の要部断面図である。
【発明を実施するための形態】
【００１２】
以下、本発明の実施形態を図面に基づいて説明する。
【００１３】
（一実施形態）
図１〜図３は本発明の一実施形態を示す。図１に示すように、接続端子１は、相手端子（図示せず）が接続される端子接続部２と、電線Ｗが接続された電線接続部１０と、端子接続部２と電線接続部１０の間を連結する首部２０とを備えている。端子接続部２、電線接続部１０及び首部２０は、導電性金属板である銅合金製の所定形状の板を折り曲げることによって形成される。
【００１４】
端子接続部２は、四角形の筒部３と、この筒部３内に配置された弾性接触片部（図示せず）とを有する。筒部３に相手端子が挿入されると、相手端子が弾性接触片部の撓み復帰力によって密着され、電気的に接続される。
【００１５】
電線接続部１０は、底面壁１１とこの底面壁１１の両方の側端より突設された一対の側面壁１２と、この各側面壁１２より突設された一対の加締め片１３とを備えている。各加締め片１３は、導体加締め部１３ａとこれに連続して設けられた外皮加締め部１３ｂとから構成されている。各加締め片１３は、前方側の導体加締め部１３ａより後方側の外皮加締め部１３ｂの突出長さが長く設定されている。一対の加締め片１３は、前方側の導体加締め部１３ａで電線Ｗのアルミニウム製の導体３０（以下、アルミニウム導体３０という）を、後方側の外皮加締め部１３ｂで電線Ｗの絶縁外皮３１を加締め固定している。つまり、一対の加締め片１３は、電線Ｗのアルミニウム導体３０箇所と絶縁外皮３１箇所を一体として加締め固定する。一対の加締め片１３は、その互いの先端部が突き合わされた状態で加締められている。絶縁外皮３１の箇所は、図２（ｂ）、図３（ｃ）に示すような形状に加締められる。
【００１６】
又、電線接続部１０の端子接続部２側には、防食材溜め部１５が設けられている。防食材溜め部１５は、一対の加締め片１３の端子接続部２側の先端箇所をＬ字状に曲げ加工することによって形成されている。詳細には、防食材溜め部１５は、図２（ａ）に示すように、電線接続部１０の一対の加締め片１３の端子接続部２側の先端箇所で形成され、電線Ｗのアルミニウム導体３０の端面を覆う被覆部１５ａとこの被覆部１５ａの下端から端子接続部２側に向かって配置された底壁部１５ｂによりＬ字状に形成されている。防食材溜め部１５は、Ｌ字状のスペースに溶融状態の半田２５が入ると、半田２５の表面張力によって溶融状態の半田２５が留められ、ここに溜められる。
【００１７】
首部２０は、底面壁２１とこの底面壁２１の両側端より立設された一対の側面壁２２とを有する。底面壁２１と一対の側面壁２２は、端子接続部２と電線接続部１０の各壁より連続して形成されている。
【００１８】
電線接続部１０の箇所で、電線Ｗまで浸水可能性のある箇所は、防食材である半田２５によって被覆されている。具体的には、半田２５は、一対の加締め片１３より露出されたアルミニウム導体と一対の加締め片１３の隙間を覆うように設けられている。塗布された半田２５は、半田コテによって溶融状態のものを塗布するか、半田ペーストを塗布して熱を加えるかして付着される。半田２５は溶融状態の際に、端子接続部２側に流れ出ようとすると、表面張力によって防食材溜め部１５に溜められ、端子接続部２側への流出が阻止される。従って、電線接続部１０が所望量の半田２５で被覆されるため、止水性が向上する。これにより、止水性の低下に起因する電線接続部１０の抵抗値の上昇と電線固定力の低下を防止できる。アルミニウム導体３０であるため、ガルバニック腐食を確実に防止できる。
【００１９】
また、半田２５が溶融状態の際に、その熱が電線Ｗの絶縁外皮３１に伝達され、絶縁外皮３１がその外面と電線接続部１０の内面に存在する隙間ｄ（図３（ｃ）に示す）を埋めるようにして変形し、絶縁外皮３１の外面と電線接続部１０の内面の隙間ｄが埋まる。これによっても、止水性の向上が図られ、電線接続部１０の抵抗値の上昇と電線固定力の低下を防止できる。
【００２０】
（変形例）
図４には、防食材溜め部１５Ａの第１変形例が示されている。第１変形例の防食材溜め部１５Ａは、底面壁１１に設けられた凹部によって形成されている。半田２５が溶融状態の際に、端子接続部２側に流れ出ようとすると、表面張力によって防食材溜め部１５Ａの上方に溜められ、端子接続部２側への流出が阻止される。
【００２１】
図５には、防食材溜め部１５Ｂの第２変形例が示されている。第２変形例の防食材溜め部１５Ｂは、底面壁２１の切り起こしによって形成されている。半田２５が溶融状態の際に、端子接続部２側に流れ出ようとすると、防食材溜め部１５Ｂに堰き止められる等して溜められ、端子接続部２側への流出が阻止される。
【００２２】
防食材溜め部は、前記実施形態、第１変形例、第２変形例のものに限定されず、溶融状態の半田２５を溜めることができる構成であればよい。
【００２３】
前記実施形態では、防食材は、半田２５であるが、グリス、ホットメルト等にあっても良い。
【００２４】
前記実施形態では、導体はアルミニウム導体３０であるが、銅導体等であっても良いことはもちろんである。
【符号の説明】
【００２５】
１  接続端子
２  端子接続部
１０  電線接続部
１１，２１  底面壁
１３  加締め片
１５，１５Ａ，１５Ｂ  防食材溜め部
２５  半田（防食材）
３０  アルミニウム導体（導体）
３１  絶縁外皮
【図１】
0005886673.tif 000002
【図２】
0005886673.tif 000003
【図３】
0005886673.tif 000004
【図４】
0005886673.tif 000005
【図５】
0005886673.tif 000006
【図６】
0005886673.tif 000007
【図７】
0005886673.tif 000008
【図８】
0005886673.tif 000009